(57)【要約】【課題】汚泥受け入れ時に、現場で、迅速かつ簡易な測定方法で、搬送対象の汚泥の搬送性を評価することができる、脱水汚泥の搬送性評価方法を提供する。【解決手段】  汚泥の搬送性評価方法は、小型のベーンせん断機を用いて、次の式  ずり応力ｘ（Ｓｂｘ：Ｐａ）＝Ｍ／π（Ｄ２×Ｈ／２＋Ｄ３／６）・・・・（１）（但し、上記式中、Ｍはベーンに回転力を加えた際の最大トルク（ｃＮ・ｍ）、Ｄはベーンの幅（ｃｍ）、Ｈはベーンの高さ（ｃｍ）を示す）により求めたずり応力を、押出し法により求めたずり応力と関連づけた検量式を用いることで、汚泥の搬送性を評価する。【選択図】図１
2011075430.tif 000002
【特許請求の範囲】
【請求項１】
小型のベーンせん断試験機の十字形のベーンを、一定の水量（ＷＡ）を含む所定容量の汚泥１（ＷＡ）に垂直に挿入し、ベーンに回転力を加えて最大トルク（Ｍ１Ａ：ｃＮ・ｍ）を測定し、次の式；
【数１１】
2011075430.tif 000014
（但し、上記式中、Ｍ１Ａはベーンに回転力を加えた際の最大トルク（ｃＮ・ｍ）、Ｄはベーンの幅（ｃｍ）、Ｈはベーンの高さ（ｃｍ）を示す）
で表される簡易法により該汚泥１（ＷＡ）のずり応力（Ｓｂ１Ａ）を求め、
別途、該汚泥１（ＷＡ）をシリンダ内に充填して、所定のずり速度（１／ｓ）で該汚泥１をピストンから押出す際のノズル内圧力Ｐ１Ａ（ＭＰａ）を測定して、次の式；
【数１２】
2011075430.tif 000015
（但し、上記式中、Ｒはシリンダのノズル（押出し部）管の半径（ｍ）、Ｐ１Ａは所定のずり速度（１／ｓ）で該汚泥１（ＷＡ）をピストンから押出す際のノズル内圧力Ｐ１Ａ（ＭＰａ）、Ｌ１Ａはシリンダのノズル（押出し部）の管長（ｍ）を示す）
で表される押出し法によりずり応力（Ｓｐ１Ａ）を求め、前記ずり応力（Ｓｂ１Ａ）を該ずり応力（Ｓｐ１Ａ）と関係付けてプロットし、
次いで、前記と同様にして、汚泥１に含まれる水の量（ＷＢ、ＷＣ、ＷＤ、ＷＥ・・・）を複数量変化させて得られた複数の汚泥１について、上記簡易法による式（１）及び上記押出し法による式（２）によりそれぞれずり応力（Ｓｂ１Ｂ、  Ｓｂ１Ｃ  、Ｓｂ１Ｄ、  Ｓｂ１Ｅ・・・）及びずり応力（Ｓｐ１Ｂ、Ｓｐ１Ｃ、Ｓｐ１Ｄ、Ｓｐ１Ｅ・・・）を求め、
前記各ずり応力（Ｓｂ）を該各ずり応力（Ｓｐ）と関係付けてプロットし、
得られた複数のプロットから、該汚泥１のずり応力（Ｓｂ１）とずり応力（Ｓｐ１）との関係式を予め求めて検量式１を決定し、
次いで、上記所定容量の、現場で搬送する汚泥１のずり応力（Ｓｂｘ）を簡易法による上記式（１）で求め、予め決定した前記検量式１に、測定した該ずり応力（Ｓｂｘ）の値を代入することで、押出し法による対応ずり応力（Ｓｐｘ）値を求め、汚泥の搬送性を評価することを特徴とする、汚泥の搬送性評価方法。
【請求項２】
請求項１記載の汚泥の搬送性評価方法において、上記検量式１は、複数の上記ずり応力（Ｓｂ１Ｂ、  Ｓｂ１Ｃ  、Ｓｂ１Ｄ、  Ｓｂ１Ｅ・・・）と上記ずり応力（Ｓｐ１Ｂ、Ｓｐ１Ｃ、Ｓｐ１Ｄ、Ｓｐ１Ｅ・・・）から、最小二乗法により求めることを特徴とする、汚泥の搬送性評価方法。
【請求項３】
請求項１又は２記載の汚泥の搬送性評価方法において、前記検量式１は、押出し法によるずり応力（Ｓｐ）を、簡易法によるずり応力（Ｓｂ）の関係式で表すことを特徴とする、汚泥の評価方法。
【発明の詳細な説明】
【技術分野】
【０００１】
本発明は、汚泥の搬送性評価方法に関し、特にセメント製造設備に、セメント原料として利用される脱水汚泥の搬送性をずり応力の簡易測定によって評価する、汚泥の搬送性評価方法に関するものである。
【背景技術】
【０００２】
セメント製造設備等では、脱水汚泥を原料代替材料として広く利用しており、かかる脱水汚泥は、セメント製造設備等に通常、ポンプ等により、パイプラインを通じて圧送されて搬送されている。
かかる脱水汚泥の性状によっては、搬送中に脱水汚泥が該パイプライン内で詰まってしまい、閉塞するトラブルが発生する。
【０００３】
かかる閉塞を防止するために、汚泥の受け入れ含水率を設定したり、予め汚泥に加水して、脱水汚泥を利用している。
また、搬送するポンプ出口圧力を測定し、圧力の上昇に応じて、搬送配管内に滑材や水等を注入して搬送性を高める方法もある。
【０００４】
しかし、汚泥の受け入れ含水率にはばらつきがあり、また汚泥によっては所定の含水率でも閉塞が発生することがある。
また、汚泥の搬送性改善のために、汚泥に加水した場合には、汚泥の搬送先のセメント設備等に余剰の水分が持ち込まれることになり、高含水率汚泥中の水分の蒸発に伴い、ロータリーキルンの窯尻部における原料温度の低下、サスペンションプレヒータや仮焼炉にて加熱および脱炭酸された原料の有する顕熱の低下、あるいはセメント原料がクリンカ状に焼成される帯域（キルン焼成帯）の温度の低下等の原因になり、セメント焼成設備のセメントクリンカ焼成能力、熱効率を低下させる原因となっている。従って、余剰水分のセメント設備等への搬送は、極力少ないほうが望ましい。
【０００５】
ポンプ出口圧力による管理は、ポンプを通過後の汚泥性状を把握するものであり、閉塞を起こす可能性のある汚泥の場合には、ポンプの運転が不安定となり、汚泥性状によっては、配管内に閉塞を起こしている。
【０００６】
汚泥のパイプラインによる搬送性を表す指標として「ずり応力」がある。
かかるこのずり応力は、汚泥をパイプラインで搬送する際の搬送抵抗となるもので、汚泥のパイプライン搬送性は、ずり応力の大きさによって決定することができる。
ずり応力は、汚泥の含水率によって大きく左右され、含水率が低下することによりずり応力が急激に増大する。
このため、特公平６−１２１６０号公報（特許文献１）には、ずり応力の大きい物質をパイプライン搬送するために、該汚泥とパイプラインとの間の摩擦抵抗を低下させる目的で、該汚泥とパイプラインとの間に滑材を注入することによって長距離のパイプライン搬送を可能とした低含水率汚泥のパイプ輸送方法が提案されている。
【０００７】
また、特開２００７−５０３７４号公報（特許文献２）には、低含水率汚泥をパイプライン輸送する方法であって、低含水率汚泥を解砕し塊状物とする解砕工程と、この塊状物に滑材を添加する滑材添加工程と、この滑材を含む塊状物を圧送ポンプを介してパイプライン輸送する輸送工程とを備えてなることを特徴とする低含水率汚泥の輸送方法が開示されている。
【０００８】
しかし、上記従来の方法は搬送性改善のため、滑材を過剰添加することが考えられ、また搬送性の直接的な評価ができない問題がある。
【０００９】
また、汚泥の搬送性については、「ずり応力」を後述する押出し法によって評価することができ、通常、使用する圧送ポンプの能力や配管の径、形状、長さなどに応じて、該押出し法によるずり応力が一定範囲であると、セメント焼成設備等へ汚泥を搬送しても、過分な水分を伴わずセメント設備の熱効率を低下させることなく、また一方、汚泥が配管に詰まってしまうことがない指標とすることができる。
しかし、該押出し法による測定には、３Ｌ程度の汚泥サンプリングと３０分程度の試験時間が必要であり、実際にセメント製造設備において脱水汚泥を利用する現場では、押出し法によるずり応力の評価の適用は難しいという問題点がある。
【先行技術文献】
【特許文献】
【００１０】
【特許文献１】特公平６−１２１６０号公報
【特許文献２】特開２００７−５０３７４号公報
【発明の概要】
【課題を解決するための手段】
【００１１】
本発明の目的は、上記課題を解決し、汚泥受け入れ時に、現場で、迅速かつ簡易な測定方法で、搬送対象の汚泥の搬送性を評価することができる、脱水汚泥の搬送性評価方法を提供することである。特に、必要に応じて過不足なく水分を加水することにより、現場でセメント設備等に搬送される汚泥が配管を閉塞させることなく、また搬送先のセメント設備等への余分な水分の持込を低減して熱効率を低下させることがないように、汚泥の含水率を調整することができる、汚泥の搬送性の評価方法を提供することである。
【００１２】
上記課題を解決するために、本発明は、上記「押出し法」による汚泥の評価方法における「ずり応力」が、圧送ポンプに応じて一定の範囲であると汚泥の搬送性が良好であり、セメント設備等への熱効率を低下させないことに鑑み、該「押出し法」による「ずり応力」値と、現場で迅速にリンクできる汚泥の搬送性評価方法を見出し、本発明に到達した。
【００１３】
即ち、本発明の汚泥の搬送性評価方法は、小型のベーンせん断試験機の十字形のベーンを、一定の水量（ＷＡ）を含む所定容量の汚泥１（ＷＡ）に垂直に挿入し、ベーンに回転力を加えて最大トルク（Ｍ１Ａ：ｃＮ・ｍ）を測定し、次の式；
【００１４】
【数１】
2011075430.tif 000003
【００１５】
（但し、上記式中、Ｍ１Ａはベーンに回転力を加えた際の最大トルク（ｃＮ・ｍ）、Ｄはベーンの幅（ｃｍ）、Ｈはベーンの高さ（ｃｍ）を示す）
で表される簡易法により該汚泥１（ＷＡ）のずり応力（Ｓｂ１Ａ）を求め、
別途、該汚泥１（ＷＡ）をシリンダ内に充填して、所定のずり速度（１／ｓ）で該汚泥１をピストンから押出す際のノズル内圧力Ｐ１Ａ（ＭＰａ）を測定して、次の式；
【００１６】
【数２】
2011075430.tif 000004
【００１７】
（但し、上記式中、Ｒはシリンダのノズル（押出し部）の半径（ｍ）、Ｐ１Ａは所定のずり速度（１／ｓ）で該汚泥１（ＷＡ）をピストンから押出す際のノズル内圧力Ｐ１Ａ（ＭＰａ）、Ｌはシリンダのノズル（押出し部）の管長（ｍ）を示す）
で表される押出し法によりずり応力（Ｓｐ１Ａ）を求め、前記ずり応力（Ｓｂ１Ａ）を該ずり応力（Ｓｐ１Ａ）と関係付けてプロットし、
次いで、前記と同様にして、汚泥１に含まれる水の量（ＷＢ、ＷＣ、ＷＤ、ＷＥ・・・）を複数量変化させて得られた複数の汚泥１について、上記簡易法による式（１）及び上記押出し法による式（２）によりそれぞれずり応力（Ｓｂ１Ｂ、  Ｓｂ１Ｃ  、Ｓｂ１Ｄ、  Ｓｂ１Ｅ・・・）及びずり応力（Ｓｐ１Ｂ、Ｓｐ１Ｃ、Ｓｐ１Ｄ、Ｓｐ１Ｅ・・・）を求め、
前記各ずり応力（Ｓｂ）を該各ずり応力（Ｓｐ）と関係付けてプロットし、
得られた複数のプロットから、該汚泥１のずり応力（Ｓｂ１）とずり応力（Ｓｐ１）との関係式を予め求めて検量式１を決定し、
次いで、上記所定容量の、現場で搬送する汚泥１のずり応力（Ｓｂｘ）を上記簡易法による上記式（１）で求め、予め決定した前記検量式１に、測定した該ずり応力（Ｓｂｘ）の値を代入することで、押出し法による対応するずり応力（Ｓｐｘ）値を求め、汚泥の搬送性を評価することを特徴とする、汚泥の搬送性評価方法である。
【００１８】
好ましい本発明の汚泥の搬送性評価方法は、上記汚泥の搬送性評価方法において、上記検量式１は、複数の上記ずり応力（Ｓｂ１Ｂ、  Ｓｂ１Ｃ  、Ｓｂ１Ｄ、  Ｓｂ１Ｅ・・・）と上記ずり応力（Ｓｐ１Ｂ、Ｓｐ１Ｃ、Ｓｐ１Ｄ、Ｓｐ１Ｅ・・・）から、最小二乗法により求めることを特徴とする、汚泥の搬送性評価方法である。
【００１９】
より好ましい本発明の汚泥の搬送性評価方法は、上記汚泥の搬送性評価方法において、前記検量式１は、押出し法によるずり応力（Ｓｐ）を、簡易法によるずり応力（Ｓｂ）の関係式で表すことを特徴とする、汚泥の評価方法である。
【発明の効果】
【００２０】
本発明の汚泥の搬送性評価方法により、配管で汚泥を搬送する際に汚泥の閉塞トラブルを防止することができるとともに、セメント製造設備等への余分な水分の持ち込みを低減して熱効率の低下を防止することができるように、使用する圧送ポンプに応じて、搬送する汚泥の搬送性を、汚泥受け入れ時や現場で、迅速にまた簡易に評価することができる。
従って、搬送対象の汚泥の搬送性に問題があると評価された場合には、搬送対象の汚泥に過不足なく加水等して、配管を搬送汚泥で閉塞させることなく搬送することを可能にする。
【図面の簡単な説明】
【００２１】
【図１】本発明の汚泥の搬送性評価方法における、２種類の銘柄の汚泥１及び汚泥２について簡易法によるずり応力（Ｓｂ）と押出し法によるずり応力（Ｓｐ）との関係を示す図である。
【図２】本発明の汚泥の搬送性評価方法における簡易法に用いるベーンせん断機の概略図である。
【発明を実施するための形態】
【００２２】
本発明を以下に詳細に説明する。
本発明の汚泥の搬送性評価方法は、小型のベーンせん断試験機の十字形のベーンを、一定の水量（ＷＡ）を含む所定容量の汚泥１（ＷＡ）に垂直に挿入し、ベーンに回転力を加えて最大トルク（Ｍ１Ａ：ｃＮ・ｍ）を測定し、次の式；
【００２３】
【数３】
2011075430.tif 000005
【００２４】
（但し、上記式中、Ｍ１Ａはベーンに回転力を加えた際の最大トルク（ｃＮ・ｍ）、Ｄはベーンの幅（ｃｍ）、Ｈはベーンの高さ（ｃｍ）を示す）
で表される簡易法により該汚泥１（ＷＡ）のずり応力（Ｓｂ１Ａ）を求め、
別途、該汚泥１（ＷＡ）をシリンダ内に充填して、所定のずり速度（１／ｓ）で該汚泥１をピストンから押出す際のノズル内圧力Ｐ１Ａ（ＭＰａ）を測定して、次の式；
【００２５】
【数４】
2011075430.tif 000006
【００２６】
（但し、上記式中、Ｒはシリンダのノズル（押出し部）の半径（ｍ）、Ｐ１Ａは所定のずり速度（１／ｓ）で該汚泥（ＷＡ）をピストンから押出す際のノズル内圧力Ｐ１Ａ（ＭＰａ）、Ｌはシリンダのノズル（押出し部）の管長（ｍ）を示す）
で表される押出し法によりずり応力（Ｓｐ１Ａ）を求め、前記ずり応力（Ｓｂ１Ａ）を該ずり応力（Ｓｐ１Ａ）と関係付けてプロットし、
次いで、前記と同様にして、汚泥１に含まれる水の量（ＷＢ、ＷＣ、ＷＤ、ＷＥ・・・）を複数量変化させて得られた複数の汚泥１について、上記簡易法による式（１）及び上記押出し法による式（２）よりそれぞれずり応力（Ｓｂ１Ｂ、  Ｓｂ１Ｃ  、Ｓｂ１Ｄ、  Ｓｂ１Ｅ・・・）及びずり応力（Ｓｐ１Ｂ、Ｓｐ１Ｃ、Ｓｐ１Ｄ、Ｓｐ１Ｅ・・・）を求め、
前記各ずり応力（Ｓｂ）を該各ずり応力（Ｓｐ）と関係付けてプロットし、
得られた複数のプロットから、該汚泥１のずり応力（Ｓｂ１）とずり応力（Ｓｐ１）との関係式を予め求めて検量式１を決定し、
次いで、上記所定容量の、現場で搬送する汚泥１のずり応力（Ｓｂｘ）を上記簡易法による上記式（１）で求め、予め決定した前記検量式１に、測定した該ずり応力（Ｓｂｘ）の値を代入することで、押出し法による対応するずり応力（Ｓｐｘ）値を求め、汚泥の搬送性を評価することを特徴とする、汚泥の搬送性評価方法である。
【００２７】
汚泥の搬送性は、汚泥に含まれる水分などによって異なり、水分が少ない場合には汚泥を搬送する配管を閉塞させてしまい、また多い場合には搬送先のセメント設備等の熱効率を低下させてしまうことから、含まれる水分量に依存した汚泥の「ずり応力」を現場で迅速に評価して、使用する圧送ポンプの搬送性の指標である、「押出し法」による「ずり応力」にリンクさせて、汚泥の搬送性を評価することを基本とするものである。
【００２８】
押出し法は、汚泥の「ずり応力Ｓｐ」を、下記の式（１）によって求める方法である。
具体的には、汚泥をシリンダ内に充填する。該シリンダのノズル（押出し部）の管半径はＲ（ｍ）、該シリンダのノズル（押出し部）の管長はＬ（ｍ）である。
通常、該シリンダに充填する汚泥１は、約２〜３Ｌである。
【００２９】
次いで、該シリンダ内に充填した汚泥を、所定のずり速度（１／ｓ）で該シリンダのピストンを押すことで押出して、ノズル内の圧力Ｐを測定して、「ずり応力Ｓｐ」を下記式によって求める。該測定には、通常３０分程度かかってしまっているのが現状である。
【００３０】
【数５】
2011075430.tif 000007
【００３１】
（但し、上記式中、Ｒはシリンダのノズル（押出し部）の半径（ｍ）、Ｐは所定のずり速度（１／ｓ）で該汚泥をピストンから押出す際のノズル内圧力Ｐ（ＭＰａ）、Ｌはシリンダのノズル（押出し部）の管長（ｍ）を示す）
【００３２】
上記式（２）より求めたずり応力Ｓｐが、押出し法によって測定した「ずり応力Ｓｐ」値である。例えば、汚泥を圧送するポンプの配管における搬送性は、該値が所定の範囲にあると、上記したように、汚泥を搬送する配管を閉塞させることもなく、搬送先のセメント設備等の熱効率を低下させることもないことがわかっており、従って、搬送する汚泥の押出し法によるずり応力の値が早期に明確になれば、汚泥の搬送性の評価が容易になる。
従って、上記押出し法による「ずり応力Ｓｐ」値が上記所定の範囲とすることを、汚泥受け入れ時に、搬送する汚泥に対して、現場で迅速に評価できれば利便性が高くなる。
【００３３】
まず、ある銘柄１の汚泥１の「ずり応力Ｓｐ１」を上記押出し法を用いて測定する。
具体的には、例えば、含有される水分量がＷＡである、前記汚泥１（ＷＡ）２Ｌを、押出し法で用いるシリンダに充填する。該シリンダのノズル（押出し部）管の半径はＲ（ｍ）、該シリンダのノズル（押出し部）の管長はＬ（ｍ）である。
該シリンダに充填した汚泥１（ＷＡ）を、所定のずり速度（１／ｓ）で押出し、その時のノズル内圧力Ｐ１Ａ（ＭＰａ）を測定する。
【００３４】
次いで、Ｒ（ｍ）、Ｌ（ｍ）、Ｐ１Ａ（ＭＰａ）により、下記式（２）を用いて、「ずり応力Ｓｐ１Ａ」を算出する。
【００３５】
【数６】
2011075430.tif 000008
【００３６】
（但し、上記式中、Ｒはピストン管の半径（ｍ）、Ｐ１Ａは所定のずり速度（１／ｓ）で該汚泥（ＷＡ）をピストンから押出す際のノズル内圧力Ｐ１Ａ（ＭＰａ）、Ｌ１Ａはピストン管長（ｍ）を示す）
【００３７】
次いで、上記押出し法による「ずり応力Ｓｐ」の測定に用いたと同様の銘柄１の汚泥１を用いて、簡易法による下記式（１）により「ずり応力Ｓｂ」を求める。
具体的には、水分含有量がＷＡの所定容量の上記汚泥１（ＷＡ）、例えば０．２Ｌの汚泥１（ＷＡ）に、図２に示すベーンせん断機１を該汚泥１（ＷＡ）に垂直に挿入する。
該ベーンせん断機は、小型であり、断面が十字形の羽が４枚装着されたベーン２を備えている。該ベーン２の幅はＤ（ｃｍ）、高さはＨ（ｃｍ）である。
ベーンせん断機１は、シャフト３の先端にあるベーン２の回転抵抗からせん断強さを求める試験機であり、例えばＧＥＯＮＯＲ社製のベーンせん断機を用いることができる。
【００３８】
該ベーンせん断機１のベーン２を該所定容量の汚泥１（ＷＡ）に垂直に挿入した後、ベーンに回転力を加えて、最大トルクＭ１Ａ（ｃＮ・ｍ）を測定し、下記式（１）より「ずり応力Ｓｂ１Ａ」を求める。
【００３９】
【数７】
2011075430.tif 000009
【００４０】
（但し、上記式中、Ｍ１Ａはベーンに回転力を加えた際の最大トルク（ｃＮ・ｍ）、Ｄはベーンの幅（ｃｍ）、Ｈはベーンの高さ（ｃｍ）を示す）
【００４１】
これにより、水分含有量がＷＡの銘柄１の汚泥１の、上記押出し法及び簡易法により得られた各ずり応力は、それぞれＳｐ１Ａ（Ｐａ）、Ｓｂ１Ａ（Ｐａ）である。
かかる２つのずり応力Ｓｐ１Ａ（Ｐａ）値とＳｂ１Ａ（Ｐａ）値とを関連づける。具体的には、横軸を簡易法によるずり応力Ｓｂ、縦軸を押出し法によるずり応力Ｓｐとして、得られたＳｂ１Ａ（Ｐａ）値と押出し法によるずり応力Ｓｐ１Ａ（Ｐａ）との関係点をプロットする。
【００４２】
次いで、同銘柄１の汚泥１に含まれる水分量をＷＢ、ＷＣ、ＷＤ、ＷＥ・・・と変化させて、上記と条件等を同様にして、各水分量を含有する汚泥１（ＷＢ）、１（ＷＣ）、１（ＷＤ）、１（ＷＥ）・・・の押出し法によるずり応力Ｓｐ１Ｂ、Ｓｐ１Ｃ、Ｓｐ１Ｄ、Ｓｐ１Ｅ・・・を求め、また上記簡易法によるＳｂ１Ｂ、  Ｓｂ１Ｃ  、Ｓｂ１Ｄ、  Ｓｂ１Ｅ・・・を求め、それぞれ、Ｓｐ１ＢとＳｂ１Ｂ、Ｓｐ１ＣとＳｂ１Ｃ、Ｓｐ１ＤとＳｂ１Ｄ、Ｓｐ１ＥとＳｂ１Ｅ・・・を関連付けて、上記と同様にして、各関係点をプロットする。
【００４３】
このようにして同一の銘柄である汚泥１に含まれる水分量（ＷＢ、ＷＣ、ＷＤ、ＷＥ・・・）に応じた、押出し法及び簡易法によるずり応力の複数の関係点を得ることができる。
一例として図１に、汚泥１の簡易法によるずり応力Ｓｂと押出し法によるずり応力Ｓｐとの関係を、横軸に簡易法によるずり応力Ｓｂ、縦軸に押出し法によるずり応力Ｓｐとして複数個所プロットしたものを示す。
【００４４】
このようにして得られた、同一の銘柄である汚泥１に含まれる水分量（ＷＢ、ＷＣ、ＷＤ、ＷＥ・・・）に応じた、押出し法及び簡易法によるずり応力の複数の関係点から、関係式１（検量式１）を導く。
該関係式１（検量式１）は、得られた複数のプロットした関係点から最小二乗法により求めることが望ましい。
【００４５】
例えば、下記表１は、銘柄１の汚泥１について、複数の含水率の汚泥１に関する、押出し法によるずり応力（せん断応力）（Ｓｐ）と、簡易法によるずり応力（せん断応力）（Ｓｂ）の値を示す。かかる関係点をプロットして、最小二乗法により求めた関係式１（検量式１）を図１に示す。
【００４６】
但し、押出し法は以下のようにして行なった。
汚泥を２Ｌ、下記シリンダに充填して、圧縮試験機（島津製作所株式会社製：ＣＣＨ−３０００ｋＮＩ）にセットして、等速で押出した。
シリンダサイズ：
・サンプル充填部：管半径５０ｍｍ、管長３００ｍｍ
・サンプルノズル部（シリンダのノズル（押出し部））：管半径２０ｍｍ、
管長３００ｍｍ
・押出し条件：ずり速度  ０．１（１／ｓ）
【００４７】
また、簡易法は以下のようにして行った。
３００ｍｌのプラスチック製のビーカーに汚泥を０．２Ｌ入れて、小型ベーンせん断機試験器具（トルクドライバーにベーンをセット）の十字部のベーン部を汚泥に垂直に挿入し、徐々に回転力を加えて、最大トルクを測定した。
小型ベーンせん断機試験器具：トルクドライバー（東日製作所製）ＦＴＤ２−Ｓ型、ベーンは４枚で十字形
ベーン：幅２０ｍｍ、高さ４０ｍｍ、シャフトの長さ１００ｍｍ
【００４８】
【表１】
2011075430.tif 000010
【００４９】
このようにして、汚泥１の銘柄に関する、押出し法によるずり応力Ｓｐを簡易法によるずり応力Ｓｂで表した検量式１を得ることができる。
図１中、汚泥１については、次の式で表される関係式（検量線）が得られた。
【００５０】
【数８】
2011075430.tif 000011
【００５１】
また、別の銘柄２の汚泥２の場合には、上記汚泥１と同様にして、汚泥２に関し、予め押出し法によるずり応力Ｓｐと簡易法によるずり応力Ｓｂとの関係式（検量式２）を、求めておく。
図１に示すように、例えば銘柄汚泥２については、押出し法によるずり応力Ｓｐを簡易法によるずり応力Ｓｂで表した関係式２（検量式２）は次の通りである。
【００５２】
【数９】
2011075430.tif 000012
【００５３】
次に、現場で実際に搬送する汚泥の搬送性の評価について説明する。
銘柄１の汚泥１Ｘ（含水率Ｗｘは不明）を搬送する場合、現場で、該汚泥１について、簡易法による上記式（１）よりずり応力ＳｂＸを求める。
具体的には、搬送する汚泥１Ｘに、小型のベーンせん断機のベーンを垂直に挿入し、ベーンに回転力を加えて、該汚泥１Ｘの最大トルクＭ１Ｘ（ｃＮ・ｍ）を求める。
好ましくは上記検量式１を導いた際に用いたと同様の所定容量の汚泥量（例えば０．２Ｌ）、かつ上記検量式１を導いた際と同様のベーンせん断機を用いる。
次いで、下記式（１）により、該搬送汚泥のずり応力ＳｂＸを測定する。
【００５４】
【数１０】
2011075430.tif 000013
【００５５】
（但し、上記式中、Ｍ１Ｘはベーンに回転力を加えて所定の回転速度に達するまでの最大トルク（ｃＮ・ｍ）、Ｄはベーンの幅（ｃｍ）、Ｈはベーンの高さ（ｃｍ）を示す）
【００５６】
該ずり応力の測定は、約１分程度で終了する。
これにより求めた簡易法による該ずり応力値（Ｓｂｘ）を、上記汚泥１で作成した関係式１（検量式１）を用いて、押出し法に対応するずり応力値（ＳｐＸ）を求め、このずり応力値（ＳｐＸ）が、圧送ポンプに応じて搬送性良好な範囲が予め決定されている所定の範囲内であれば、該汚泥は配管を閉塞することもなく、搬送先のセメント設備の熱効率を低下することがない汚泥であり、搬送性が良好であると評価することができる。
例えば、図１に示す汚泥１の場合において、特定の圧送ポンプを用いた搬送性の上限が押出し法によるずり応力（Ｓｐ）が５０００Ｐａである場合には、搬送性が良好な範囲は、該上限値の９０〜１００％であり、従ってずり応力（Ｓｐ）は４５００Ｐａ〜５０００Ｐａとなる。従って、これに対応して、前記測定したＳｂｘ値が約５９２７〜６６０９Ｐａであれば、搬送性が良好であると判断される。
【００５７】
また求めた簡易法によるずり応力値（Ｓｂｘ）の値が、例えば１００００Ｐａである場合には、検量式１より押出し法による対応ずり応力（Ｓｐ）は７４８４Ｐａであり、上記圧送ポンプの場合における上記所定の範囲（例えば、押出し法における４５００〜５０００Ｐａに対応する簡易法の値は５９２７〜６６０９Ｐａ）の値より大きく、この場合には該汚泥に水分を加えて、搬送する前に予め含水率を調整して、押出し法のずり応力（Ｓｐ）が該所定の範囲に入るように調製する。
また、簡易法によって求めたずり応力値が上記下限値未満の場合には、搬送性の悪い汚泥と混合等して利用することにより搬送性を調整することができる。
【産業上の利用可能性】
【００５８】
本発明は、現場でのセメント設備等へ搬送する汚泥の搬送性の評価に適用することが可能である。
【符号の説明】
【００５９】
１・・・小型ベーンせん断機
２・・・ベーン
３・・・シャフト
【図１】
2011075430.tif 000016
【図２】
2011075430.tif 000017